(57)【要約】      （修正有）【課題】表示面積を大きくし、表示面を平面だけでなく、曲面とすることも可能なＬＥＤ表示器を提供する。【解決手段】ＬＥＤ表示器を金属または樹脂製の複数のユニット１〜４に分割し、そのユニット１〜４はＬＥＤ表示部７で構成される。ユニット１〜４の外周部には接続箱８と接続ケーブル９を取り付ける構造とする。また上記ユニット１〜４は増設でき、曲面もしくは環状に配置できる構造とする。【選択図】図１
0003207718.tif 000002
【実用新案登録請求の範囲】
【請求項１】
既存の構造物への取り付けをする表示装置において、複数のＬＥＤランプからなるＬＥＤ表示ユニットを複数配置したことを特徴とするＬＥＤ表示器。
【請求項２】
上記ユニットを増設して表示面積を大きくし、もしくは曲面、もしくは環状に配置したことを特徴とするＬＥＤ表示器。
【考案の詳細な説明】
【技術分野】
【０００１】  この考案は、ＬＥＤ表示器の分割化に関する。
【背景技術】
【０００２】  従来のＬＥＤ表示器は、図６に示すように、複数のＬＥＤランプからなるＬＥＤ表示ユニット１複数個を開口部を有する取り付け板２に取り付けていた。
【先行技術文献】
【特許文献】
【０００３】
【特許文献１】特開２００３−８４６８５
【考案の概要】
【考案が解決しようとする課題】
【０００４】  しかしながら、以上の技術によれば、ＬＥＤ表示器は、重量が重く、体積も大きいことから、設置工事の困難と設置場所にも制約があった。
そこで、本考案は、重量が重く設置場所にも制約があったＬＥＤ表示器を、設置工事及び設置場所に制約されないＬＥＤ表示器を提供することを課題とする。特に既存の構造物、すなわち船舶、車両、橋梁、パネル、建造物等の平面部または曲面部への取り付けを容易にすることも課題である。
【課題を解決するための手段】
【０００５】  以上の課題を解決するために、第一考案は、ＬＥＤ表示ユニットを既存の構造物に固定するための構造を有することを特徴としたＬＥＤ表示器を提供する。
また、第二考案は、上記ユニットの外周部に接続ケーブルを取り付けて、一面化した表示ができることとともに、上記ユニットを増設することで、表示面積を大きくし、かつ表示面を平面だけでなく曲面とすることも可能なＬＥＤ表示器を提供する。
【考案の効果】
【０００６】  第一考案、及び第二考案によれば、１つのユニットは重量が軽く、設置し易くなる、また  設置場所によっては、各ユニットの間に障害物があっても、困難なく設置することができる。
【図面の簡単な説明】
【０００７】
【図１】この考案の一実施形態を示す斜視図である。
【図２】この考案の他の実施形態を示す斜視図である。
【図３】この考案の他の実施形態を示す斜視図である。
【図４】この考案の他の実施形態を示す斜視図である。
【図５】この考案の他の実施形態を示す斜視図である。
【図６】従来技術を示す斜視図である。
【考案を実施するための形態】
【０００８】  この考案の一実施形態を、図１に示す。
ＬＥＤ表示器は、金属または樹脂製の複数のＬＥＤランプからなるＬＥＤ表示ユニット１から４に分割する。上記ユニット１からユニット４の表面部にはＬＥＤ表示部７と、また外周部には接続箱８と接続ケーブル９を取り付ける構造を有し、底面部には既存の構造物に固定するためのフランジ１０を有する。
【０００９】  「実施形態の効果」
この実施形態によれば、ＬＥＤ表示器の設置工事において、上記ユニット１から４のそれぞれの重量は軽く、別々に設置取付することができるため設置工事が容易になる。また図２に示すように設置場所に手摺や樹木などの障害物１１があっても、上記ユニット１から４の取り付け間隔を広げるなど障害物を避けることができるため設置場所に制約がなくなる。
「他の実施形態」
図１の実施形態では、横方向に上記ユニット１から４で構成されているが、図３に示すとおり更に上記ユニット５および６を配置することで、より大型なＬＥＤ表示器の構成が可能である。
図４では、ユニット１からユニット６を縦方向に接続構成することで、略正方形の表示面を構成することができる。
図５において（ａ）は凹面配置、（ｂ）は凸面配置の例であり、野外における光の回り込みの際に有利に働く。また（ｃ）は環状配置の例であり、観測者の位置の制約がない。
【符号の説明】
【００１０】    １  ユニット１              ２  ユニット２
３  ユニット３              ４  ユニット４
５  ユニット５              ６  ユニット６
７  ＬＥＤ表示部            ８  接続箱
９  接続ケーブル          １０  フランジ
１１  障害物
【図１】
0003207718.tif 000003
【図２】
0003207718.tif 000004
【図３】
0003207718.tif 000005
【図４】
0003207718.tif 000006
【図５】
0003207718.tif 000007
【図６】
0003207718.tif 000008
【手続補正書】
【提出日】平成28年9月2日(2016.9.2)
【手続補正１】
【補正対象書類名】明細書
【補正対象項目名】０００２
【補正方法】変更
【補正の内容】
【０００２】  従来のＬＥＤ表示器は図６に示すように、複数のＬＥＤランプからなるＬＥＤ表示ユニット１を、複数個の開口部を有する取り付け板２に取り付けていた。
【手続補正２】
【補正対象書類名】明細書
【補正対象項目名】０００５
【補正方法】変更
【補正の内容】
【０００５】  以上の課題を解決するために、第一考案は、ＬＥＤ表示ユニットを既存の構造物に固定するための構造を有することを特徴としたＬＥＤ表示器を提供する。
また、第二考案は前記ＬＥＤ表示ユニットの外周部に接続ケーブルを取り付けて、一面化した表示ができるとともに、前記ＬＥＤ表示ユニットを増設することで、表示面積を大きくし、かつ表示面を平面だけでなく曲面とすることも可能なＬＥＤ表示器を提供する。
【手続補正３】
【補正対象書類名】明細書
【補正対象項目名】０００６
【補正方法】変更
【補正の内容】
【０００６】  第一考案、及び第二考案によれば１つのＬＥＤ表示ユニットは重量が軽く、設置し易くなる。また設置場所によっては、各ＬＥＤ表示ユニットの間に障害物があっても、困難なく設置することができる。
【手続補正４】
【補正対象書類名】明細書
【補正対象項目名】０００８
【補正方法】変更
【補正の内容】
【０００８】  この考案の一実施例を、図１に示す。
ＬＥＤ表示器は、複数のＬＥＤランプからなる金属または樹脂製のＬＥＤ表示ユニット１から４に分割する。前記ＬＥＤ表示ユニット１から４の表面部にはＬＥＤ表示部７と、また外周部には接続箱８と接続ケーブル９を取り付ける構造を有し、底面部には既存の構造物に固定するためのフランジ１０を有する。
【手続補正５】
【補正対象書類名】明細書
【補正対象項目名】０００９
【補正方法】変更
【補正の内容】
【０００９】  「実施形態の効果」
この実施例によれば、ＬＥＤ表示器の設置工事おいて、前記ＬＥＤ表示ユニット１から４のそれぞれの重量は軽く、別々に設置取付することができるため設置工事が容易になる。また図２に示すように設置場所に手摺や樹木などの障害物１１があっても、前記ＬＥＤ表示ユニット１から４の取り付け間隔を広げるなど障害物を避けることができるため設置場所に制約がなくなる。
「他の実施形態」
図１の実施形態では、横方向に前記ＬＥＤ表示ユニット１から４で構成されているが、図３に示すとおり更に前記ＬＥＤ表示ユニット５および６を配置することで、より大型なＬＥＤ表示器の構成が可能である。
図４では、前記ＬＥＤ表示ユニット５および６を縦方向に接続構成することで、略正方形の表示面を構成することができる。
図５において、（ａ）は凹面配置、（ｂ）は凸面配置の例であり、野外における光の回り込みの際に有効に働く。また（ｃ）は環状配置の例であり、観測者の位置の制約がない。
【手続補正６】
【補正対象書類名】明細書
【補正対象項目名】００１０
【補正方法】変更
【補正の内容】
【００１０】  １  ＬＥＤ表示ユニット１      ２  ＬＥＤ表示ユニット２
３  ＬＥＤ表示ユニット３      ４  ＬＥＤ表示ユニット４
５  ＬＥＤ表示ユニット５      ６  ＬＥＤ表示ユニット６
７  ＬＥＤ表示器              ８  接続箱
９  接続ケーブル            １０  フランジ
１１  障害物
【手続補正７】
【補正対象書類名】実用新案登録請求の範囲
【補正対象項目名】請求項２
【補正方法】変更
【補正の内容】
【請求項２】
前記ＬＥＤ表示ユニットを増設して表示面積を大きくし、もしくは曲面、もしくは環状に配置したことを特徴とする請求項１に記載のＬＥＤ表示器。